(57)【特許請求の範囲】
【請求項１】
内部に液状薬剤を収容可能であって、上部に開口部を有する容器と、
前記液状薬剤を吸収し、前記開口部上方から突出するように配置される揮散体と、
前記揮散体を覆うように配置されるキャップと、を備え、
前記揮散体は、本体と、前記本体から径方向外側に平面視放射状に延出する複数のフィンとを有し、
前記キャップは、前記揮散体の上方に配置される頂部と、前記揮散体の径方向外側を囲むように配置される底部と、前記頂部と前記底部とを連結し平面視放射状に配置される複数のフィンと、を備え、
前記キャップのフィンの数と前記揮散体のフィンの数とが異なる、揮散器。
【請求項２】
前記キャップのフィンの数は、前記揮散体のフィンの数よりも多い、請求項１に記載の揮散器。
【請求項３】
前記キャップの各フィンの側壁部は、前記頂部から前記底部に向かってねじれる形状を有する、請求項１又は２に記載の揮散器。
【請求項４】
前記キャップの各フィンの側壁部は、前記頂部から前記底部に向かって波打つ形状を有する、請求項１又は２に記載の揮散器。
【請求項５】
前記容器の首部に装着され、中心に開口を有するフランジをさらに備え、
前記フランジは、前記開口の径方向外側に周設され前記揮散体を載置可能な第１の載置部と、前記第１の載置部の径方向外側に周設され前記キャップを載置可能な第２の載置部と、を備える請求項１乃至請求項４のいずれか一項に記載の揮散器。
【請求項６】
前記揮散体と前記キャップとの間に配置され、前記揮散体を覆う揮散防止カバーと、
前記容器の首部の径方向内側に装着され、前記揮散体を載置可能な平坦部を有する内側フランジと、
前記容器の首部の径方向外側に螺合して装着され、前記キャップを装着可能な装着部を有する外側フランジと、をさらに備え、
前記外側フランジは、前記内側フランジの平坦部の上方に、前記首部に向かって延出する縁部を有し、前記縁部と前記平坦部との間で前記揮散防止カバーを挟持する、請求項１乃至請求項４のいずれか一項に記載の揮散器。
【請求項７】
前記容器内に配置され、前記液状薬剤を吸収する吸液芯をさらに備え、前記吸液芯の上端は、前記揮散体の一部と接触している、請求項１乃至請求項６のいずれか一項に記載の揮散器。
【請求項８】
前記揮散体は、前記液状薬剤に直接接触するように一部が前記容器内に配置されている、請求項１乃至請求項４のいずれか一項に記載の揮散器。
【発明の詳細な説明】
【技術分野】
【０００１】
本発明は、液状薬剤を揮散させる揮散器に関する。
【背景技術】
【０００２】
従来、部屋やトイレ等で液状薬剤を揮散させる揮散器が知られている。このような揮散器として、例えば、特許文献１には、容器に液状薬剤を吸い上げる吸液芯を挿入し、その上部に平板状の揮散体とこの揮散体を覆う筒状のカバーとを設けた芳香放散器が開示されている。このカバーには、気流を内部に取りこんで芳香を外部に拡散するための揮散孔が設けられている。
【先行技術文献】
【特許文献】
【０００３】
【特許文献１】特開２００１−２６１０８０号公報
【発明の概要】
【発明が解決しようとする課題】
【０００４】
しかしながら、このようなカバーに揮散孔を設けた従来の揮散器では、カバーの揮散孔以外の部分に流れる気流は反射されて内部に取り入こめない。一方で揮散孔の開口面積を大きくすることにも限界がある。そのため液状薬剤の揮散効率を高められないという問題がある。
【０００５】
さらに、近年、揮散器は、インテリアの一つとして部屋を演出する小道具としての使い方も求められるようになっている。しかしながら、カバーに揮散孔を設けた従来の揮散器ではデザイン上の制約が多く、こうした美観向上の要請には十分に応えることはできなかった。
【０００６】
本発明は、以上の背景に鑑みてなされたものであり、その目的は、揮散効率を高めると共に視認性及び美観を向上させることのできる揮散器を提供することである。
【課題を解決するための手段】
【０００７】
上記課題を解決するために、本発明の好ましい一態様によれば、内部に液状薬剤を収容可能であって、上部に開口部を有する容器と、前記液状薬剤を吸収し、前記開口部上方から突出するように配置される揮散体と、前記揮散体を覆うように配置されるキャップと、を備え、前記揮散体は、本体と、前記本体から径方向外側に平面視放射状に延出する複数のフィンとを有し、前記キャップは、前記揮散体の上方に配置される頂部と、前記揮散体の径方向外側を囲むように配置される底部と、前記頂部と前記底部とを連結し平面視放射状に配置される複数のフィンと、を備え、前記キャップのフィンの数と前記揮散体のフィンの数とが異なる、揮散器を構成する。
【０００８】
上記構成によれば、容器内の液状薬剤は、揮散体に吸収されたのち、気化して周囲に揮散される。ここで、揮散体を覆うように配置されるキャップは、複数のフィンを備えている。フィンはキャップの頂部と底部とを連結し、平面視放射状に配置されるので、フィンとフィンとの間の開口に向かう気流はもちろん、フィンの側壁部（径方向に沿ってフィンの主面を構成する面）に向かって流れる気流も当該開口に導かれる。これにより、カバーに揮散孔を設けた従来の揮散器に比して、実質的な開口面積が増大し、揮散体への効率的な空気の取り込み、取り出しが可能になる。ひいては、揮散効率が向上する。
【０００９】
加えて、キャップが平面視放射状に配置される複数のフィンで構成されるので、カバーに揮散孔を設けた従来の揮散器に比して、キャップに奥行きすなわち３次元的な広がりを持たせることができる。また個々のフィンの形状、配置によるデザイン上の自由度も広がり、美観の面でも従来の揮散器とは一線を画したものとすることができる。
【００１０】
なお、本発明において、「放射状」とは、ある点又は部分を中心に等間隔又は異なる間隔で四方八方に直線状又は曲線状（例えば、らせん状、波状）に伸びた状態を示す。
【００１２】
また、上記構成によれば、揮散体の複数のフィンにより揮散体の表面積が増加するので、揮散体から蒸発する液状薬剤の量を増加させることができる。また揮散体のフィンの側壁部にあたる気流は、フィンの角度に応じて反射される。そのためキャップから内部に取り込まれた気流に、より複雑な空気の乱れを生じさせることができる。これにより液状薬剤の蒸発量をさらに増加させ、またキャップと揮散体との間の空間に空気が滞留することを抑制することができる。
【００１３】
加えて、この揮散器は、キャップの複数のフィンの奥に、揮散体の複数のフィンがさらに配置されるので、より複雑な３次元構造を有する。また揮散体の個々のフィンの形状、配置により、従来の板状の揮散体に比べてデザイン上の自由度も広がる。
【００１５】
また、上記構成によれば、キャップのフィンの数と揮散体のフィンの数とが異なることにより、キャップの各フィン間の角度と、揮散体の各フィン間の角度とが異なることになる。これによる視覚的な効果に加えて、キャップの内部に取り込む気流に、より複雑な空気の乱れを生じさせることができる。
【００１６】
好ましくは、前記キャップの各フィンの径方向側面は、前記頂部から前記底部に向かってねじれる又は波打つ形状を有するようにしてもよい。
【００１７】
上記構成によれば、当該ねじれる又は波打つ形状のフィンにより、キャップの内部に取り込まれる気流に、さらに複雑な空気の乱れを生じさせることができる。
【００１８】
好ましくは、前記容器の首部に装着され、中心に開口を有するフランジをさらに備え、前記フランジは、前記開口の径方向外側に周設され前記揮散体を載置可能な第１の載置部と、前記第１の載置部の径方向外側に周設され前記キャップを載置可能な第２の載置部と、を備えるようにしてもよい。
【００１９】
上記構成によれば、首部に装着したフランジに、揮散体及びキャップを順に載置するだけで容易に組み立てができる。またキャップ及び揮散体の取り外しも逆の手順で行えばいいので、容器の液状薬剤、吸液芯の交換等も容易に行うことができる。またキャップ及び揮散体をそれぞれフランジ上で自由に回動させ位置決めすることができる。これにより、例えば、揮散体に凸部が設けられている場合には、キャップのフィンと揮散体の凸部との互いの角度を容易に調整することができる。
【００２０】
好ましくは、前記揮散体と前記キャップとの間に配置され、前記揮散体を覆う揮散防止カバーと、前記容器の首部の径方向内側に装着され、前記揮散体を載置可能な平坦部を有する内側フランジと、前記容器の首部の径方向外側に螺合して装着され、前記キャップを装着可能な装着部を有する外側フランジと、をさらに備え、前記外側フランジは、前記内側フランジの平坦部の上方に、前記首部に向かって延出する縁部を有し、前記縁部と前記平坦部との間で前記揮散防止カバーを挟持する、ようにしてもよい。
【００２１】
上記構成によれば、揮散防止カバーは、揮散体とキャップとの間に配置され、揮散体を覆うように配置されるので、揮散器の出荷時や不使用時等に揮散体から液状薬剤が揮散することを防止することができる。この揮散防止カバーは、外側フランジの縁部と内側フランジの平坦部との間で挟持される。外側フランジは、容器の首部に螺合して装着されるので、外側フランジの首部に対するねじ嵌めを緩めることで、外側フランジの縁部と内側フランジの平坦部との間隔が広がる。これにより、揮散防止カバーを揮散器から容易に取り外すことができる。
【００２２】
好ましくは、前記容器内に配置され、前記液状薬剤を吸収する吸液芯をさらに備え、前記吸液芯の上端は、前記揮散体の一部と接触している、ようにしてもよい。
【００２３】
上記構成によれば、容器内に配置される吸液芯が液状薬剤を吸収する。吸収された液状薬剤は、吸液芯の上端から揮散体が接触する部分を通って揮散体に含浸される。揮散体と吸液芯とが別体であるので、例えば出荷時や不使用時等に、揮散体と吸液芯とを物理的に引き離せば、揮散体へ液状薬剤がさらに含浸することを防ぐことができる。
【００２４】
好ましくは、前記揮散体は、前記液状薬剤に直接接触するように一部が前記容器内に配置されている、ようにしてもよい。
【００２５】
上記構成によれば、揮散体は液状薬剤を容器内から直接吸い上げて揮散させる。この場合上述したような吸液芯を必要としないので部品点数を減らすことができるとともに、組立も容易になる。
【発明の効果】
【００２６】
本発明によれば、揮散効率を高めると共に視認性及び美観を向上させることのできる揮散器を提供することができる。
【図面の簡単な説明】
【００２７】
【図１】本発明の第１の実施形態に係る揮散器の斜視図である。
【図２】同揮散器のフランジの斜視図である。
【図３】同揮散器の揮散体を示す図であり（Ａ）は平面図（Ｂ）は斜視図である。
【図４】同揮散器のキャップを示す図であり（Ａ）は平面図（Ｂ）は斜視図である。
【図５】本発明の第２の実施形態に係る揮散器の要部断面図である。
【図６】同揮散器の揮散体を示す図であり（Ａ）は平面図（Ｂ）は斜視図である。
【図７】本発明の変形例に係る揮散器の斜視図である。
【図８】本発明の変形例に係るキャップの斜視図である。
【発明を実施するための形態】
【００２８】
以下、添付の図面を参照しながら、本発明の好適な実施の形態に係る揮散器を説明する。以下の説明では、容器の底部が存在する方を下側とし、容器の首部が存在する方を上側とする。また説明の理解を容易にするため、各図面において同一の構成要素に対しては可能な限り同一の符号を付して、重複する説明は省略する。
【００２９】
＜第１の実施形態＞
図１に示すように、本発明の第１の実施形態に係る揮散器１は、容器２、吸液芯３、フランジ４、揮散体５、キャップ６と、を備えている。
【００３０】
容器２は、上側から順に、首部２０、胴部２２、底部２４が一体に形成されており、内部に液状薬剤を貯留するための有底ボトル状のボトル壁を構成している。容器２の液状薬剤としては、例えば、芳香液、消臭液、防臭液、防虫液、防カビ液等の一種又は複数種を混合したものがある。容器２は、胴部２２の径が最も太く、首部２０及び底部２４に向かって縮径する紡錘形状をしている。胴部２２は、首部２０から底部２４に向かって上下方向斜めに波状に湾曲して形成された谷部２２０と、谷部２２０間を滑らかに連結し容器の径方向外側に隆起する山部２２２とから構成されている。容器２は、例えば無色透明（又は有色透明）のプラスチック（又はガラス）等から形成されており、上記胴部２２の形状と相まって、一見すると香水瓶のような美観を奏する。
【００３１】
図１に示すように、容器２の首部２０には、上方に開口した開口部（図示せず）が設けられており、この開口部には内キャップ（図示せず）が内嵌される。内キャップの中央部には棒状の吸液芯３が挿通され当該内キャップにより吸液芯３が保持される。吸液芯３は、例えば吸液性を有するパルプや合成樹脂等の繊維により形成されている。吸液芯３は容器２の例えば中心軸上に配置され、その下端は容器２の底部２４に接触し、その上端は内キャップの上方に伸びて、フランジ４に載置される揮散体５の底面に接触する。吸液芯３は、吸収した液状薬剤を容器２の下から上に導いて揮散体５に浸透させる。
【００３２】
図１に示すように、容器２の首部２０には、フランジ４が装着される。図２に示すように、フランジ４は、首部２０の外周縁にねじ込んで取り付けられる取付部４０と、取付部４０の上方に連結する幅広の円環部４２とを備え、フランジ４の中心の開口４４を吸液芯３が挿通するようになっている。フランジ４は、例えばプラスチックで形成されている。
【００３３】
円環部４２には、フランジの開口４４から径方向外側に向かって順に、第１の載置部４２０及び第２の載置部４２２が形成されている。第１の載置部４２０及び第２の載置部４２２は、それぞれ容器２の中心軸と同一の中心軸を有する円環状の平坦面からなり、揮散体５及びキャップ６の載置面として機能する。第１の載置部の外周縁には、その外周縁から垂直方向上方に向かって隆起する側壁４２４が形成されており、揮散体５の径方向の移動が規制されるようになっている。また第２の載置部４２２の内周縁及び外周縁には、それぞれから垂直方向上方に隆起する側壁４２６、４２８が形成されており、キャップ６の径方向の移動が規制されるようになっている。
【００３４】
上記構成により、フランジ４の載置面に揮散体５及びキャップ６を順に載置するだけで容易に取り付け及び位置決めが可能である。揮散体５及びキャップ６の取り外しも逆の手順で行えばよいので、液状薬剤、吸液芯３の交換等も極めて容易に行うことができる。
【００３５】
図１に示すように、フランジ４の第１の載置部４２０上には、揮散体５が載置される。図３（Ａ）及び（Ｂ）に示すように、揮散体５は、円筒状の本体５０と、本体５０の中心から平面視放射状に延出する複数の凸部５２とから構成されている。本体５０及び凸部５２はいずれもその上面及び底面は平坦面を有し、上下方向いずれの面でも第１の載置部４２０に載置可能である。揮散体５は、第１の載置部４２０上に載置された状態で、揮散体５の下面の中心に吸液芯３の上端が当接するようになっている。
【００３６】
各凸部５２は、周方向に互いに４５度離間して、８本配置されている。各凸部５２は、２つの側壁部５２０（上面と下面とを連結し径方向に延びる面を構成する）と、２つの側壁部５２０の間を径方向外側に膨らんだ滑らかな曲面で連結する端部５２２とを有する。揮散体５は、例えばポリエチレン、ポリプロピレン等のポリオレフィン系樹脂、ポリエチレンテレフタレート、ポリブチレンテレフタレート等のポリエステル系樹脂、パルプ等の１種若しくは２種以上を混合した繊維束を押出形成することにより、吸液性を有するよう多孔質に成形される。
【００３７】
吸液芯３を介して揮散体５の内部に浸透した液状薬剤は、揮散体５の表面から気化して外部に揮散する。揮散体５は、凸部５２を有することで、その表面積が従来の板状又は筒状の揮散体に比べて格段に大きいため、揮散体５から蒸発する液状薬剤の量を増加させることができる。別の観点からみれば、より小さな容積で、従来の揮散体と同じ揮散量を得ることができる。すなわち、揮散体５を小型化できる。
【００３８】
また揮散体５の各凸部５２は、キャップ６から内部に取り込まれた気流を側壁部５２０により反射させる。これにより、例えば板状の揮散体に比べて、キャップ６から内部に取り込まれた空気により複雑な気流の乱れを生じさせることができる。これにより、空気を揮散体５のより多くの箇所に導き、液状薬剤の蒸発量を増加させることができ、またキャップ６と揮散体５との間に空気が滞留することを抑制することができる。
【００３９】
図１に示すように、キャップ６が揮散体５を覆うように、フランジ４上に載置される。図４（Ａ）及び（Ｂ）に示すように、キャップ６は、円錐状の頂部６０と、環状の底部６２と、頂部６０と底部６２とを連結し平面視放射状に配置される複数のフィン６４とから構成されている。キャップ６は、透明のプラスチックで形成される。キャップ６は、例えば、インジェクション成形により成形される。フランジ４の第２の載置部４２２に載置された状態で、頂部６０は揮散体５の本体５０上に配置され、底部６２は揮散体５の凸部５２を囲むように配置される。これにより、キャップ６は、揮散体５のカバーとしての機能を有する。すなわち、キャップ６は、液状薬剤が浸透した揮散体５に人や物体が直接接触することや、風によって揮散体５が飛ばされ容器から落ちてしまうことを防止する。
【００４０】
キャップ６の各フィン６４は、周方向に互いに３０度離間して１２本配置されている。各フィン６４の間には、空気を取り出し入れするための開口６６が形成されている。各フィン６４は、略「くの字」形状（頂部６０から底部６２に向かうに従って一旦幅狭になりその後再び幅広となる形状）をした平坦面で構成される２つの側壁部６４０と、この２つの側壁部６４０の間を平坦面で連結する端部６４２とから構成されている。端部６４２の幅（２つの側壁部６４０の間の距離）は、キャップ６がカバーとしての剛性を保つために十分であれば、できるだけ細くすることが好ましい。これにより、互いに隣接するフィン６４とフィン６４との間隔すなわち開口６６を大きくすることができる。
【００４１】
上述したキャップ６の構造により、開口６６に直接向かう気流はもちろん、フィン６４の側壁部６４０に向かって流れる気流も開口６６に導くことが可能である。すなわち、カバーに揮散孔を設けた従来の揮散器に比して、実質的な開口面積が増大する。そのため揮散体５への効率的な空気の取り込みが可能になり、また揮散体５から蒸発する液状薬剤の効率的な取り出しが可能になる。
【００４２】
上述のとおり、キャップ６には、周方向に互いに３０度離間した１２本のフィン６４が配置されており、一方、揮散体５には、周方向に互いに４５度離間した８本の凸部５２が配置されている。キャップ６と揮散体５とで互いのフィンまたは凸部の数が異なるので、キャップ６に流れる空気の大部分は、少なくとも一度はフィン６４の側壁部６４０又は凸部５２の側壁部５２０にて反射されることになる。これにより、キャップ６に取り込む気流により複雑な乱れを生じさせることができ、空気を揮散体５のより多くの箇所に導きくことができる。ひいては、液状薬剤の蒸発量を増加させ、キャップ６と揮散体５との間に空気が滞留することを抑制することができる。
【００４３】
また、揮散体５及びキャップ６はそれぞれフランジ４上で自由に回動させ位置決めすることができるので、キャップ６のフィン６４と揮散体５の凸部５２との互いの相対角度を、例えば揮散器１が置かれた場所の気流の状況に応じて調整することができる。
【００４４】
揮散器１の上側部分は、キャップ６及び揮散体５がそれぞれフィンまたは凸部を有するので、視覚的に奥行きのある３次元構造を有する。そして、揮散体５及びキャップ６の空気の取り込み、取り出し効率がよいので、双方が小型化されている。より具体的には、本実施の形態においては、揮散体５の径方向の大きさは、容器２の最狭部を構成する首部２０の開口径よりわずかに小さく、であり、キャップ６の径方向の大きさは、首部２０の開口径よりわずかに大きく、容器２の胴部２２の径よりも小さくなっている。すなわち、揮散体５及びキャップ６の径方向の大きさが容器２の首部２０の径と同程度となっており、これと揮散体５の凸部及びキャップ６のフィンによる奥行きのある３次元構造と相まって、揮散器１の上部は、香水瓶のキャップのような美観を奏する。上述したとおり容器２は香水瓶のような美観を奏するので、双方を合わせると、香水瓶とそのキャップのような美観を奏し、揮散器１は、従来の揮散器とは一線を画する高いインテリア性を有する。
【００４５】
なお、キャップ６のフィンのほうが揮散体５の凸部よりも枚数よりも多いので、キャップ６のフィン６４が揮散体５の凸部５２の一部を視覚的に遮蔽する。キャップ６は揮散体５よりも材質、形状によるデザイン上の制限がより少ないので、揮散体５をより見栄えのよいキャップ６の背後に隠すようにすることができ、当該視覚的な遮蔽効果により、揮散器１の全体としての美観を一層向上させることができる。
【００４６】
＜第２の実施形態＞
次に、図５及び図６を用いて、本発明の第２の実施形態に係る揮散器１０について説明する。ここでは、第１の実施の形態との相違点を中心に説明し、同一の構成については同一の符号を付して説明は省略する。
【００４７】
図５は、本発明の第２の実施形態に係る揮散器１０の上部をその中心軸を含む平面で切った要部断面図であり、容器２の首部２０、吸液芯３、揮散体５Ａ、キャップ６Ａ、内側フランジ７、外側フランジ８及び揮散防止カバー９が示されている。
【００４８】
揮散体５Ａには、図６に示すように、中心軸に吸液芯３を挿通するための貫通孔５４が設けられている。本実施形態では、吸液芯３は、揮散体５Ａの貫通孔５４の下半分まで挿通され、吸液芯３の上部外周面が揮散体５Ａの内壁に接触している（図５参照）。これにより、第１の実施の形態（吸液芯３の上面が揮散体５の底面に接触する）に比べて、吸液芯３と揮散体５Ａとの接触面積が大きくなり、液状薬剤を効率よく揮散体５Ａに吸い上げることができる。
【００４９】
揮散体５Ａは、吸液芯３と内側フランジ７とによって位置決め固定されている。より具体的には、揮散体５Ａは、内側フランジ７の上面に設けられた平坦部７０上に揮散体５Ａの底面端部が載置されるとともに、容器２の中心軸に沿って立設する吸液芯３により位置決め固定されている。
【００５０】
内側フランジ７は、その外周に嵌合部７２設けられている。この嵌合部７２が首部２０の内周壁に嵌合することで、内側フランジ７が容器２に強固に（回動や取り外しが容易ではない状態で）固定される。内側フランジ７は、嵌合部７２の径方向内側に、下方向に向かって縮径する漏斗状の漏斗部７４と、この漏斗部７４の下部に連結し、吸液芯３の直径よりわずかに大きな径を有する管７６とを有する。幅広径の漏斗部７４及び吸液芯３の径に対応して設けられた管７６により、吸液芯３を容器２内に容易に位置決めして固定することができる。また、この漏斗部７４及び管７６の構造により、液状薬剤の補充も容易になる。漏斗部７４には空気孔７４０が設けられており、容器２内の液状薬剤が減少することに伴う容器２内の圧力変化を調整するようになっている。
【００５１】
キャップ６Ａは、装着部６０Ａをその底部に有し、この装着部６０Ａが、外側フランジ８の溝部８０内に挿入されて係合することにより、キャップ６Ａが外側フランジ８に装着される。外側フランジ８は、その内周壁に、ねじ切り加工された装着部８２を有し、この装着部８２が、同じくねじ切り加工された首部２０の外周壁に螺合することで、外側フランジ８が容器２に装着される。外側フランジ８は、装着部８２の上部に連結し、径方向内側に延出する縁部８４をさらに有する。
【００５２】
揮散防止カバー９は、揮散体５Ａと、キャップ６Ａとの間に配置される。揮散防止カバーは筒状の周壁９０、上面壁９２、周壁９０の下端から径方向外側に突出する蓋部９４を有し、揮散体５Ａの底面を除く外周面全体を覆う。そのため、キャップ６Ａを介して内部に取り込まれる空気が揮散体５Ａに触れることを防止できる。これにより、揮散器１０の出荷時や長期間の不使用時等に揮散体５Ａから液状薬剤が揮散することを防止することができる。
【００５３】
揮散防止カバー９の蓋部９４は、内側フランジ７の平坦部７０と外側フランジ８の縁部８４との間で挟持され、これにより揮散防止カバー９が揮散器１０に固定される。もちろん、揮散防止カバー９は、揮散器１０の使用時には取り外す必要がある。この点、本実施の形態の構造では、揮散防止カバー９の取り外しは容易である。すなわち、外側フランジ８を回動させて装着部８２の容器２の首部２０に対するねじ嵌めを緩めることで、外側フランジ８は、容器２に対して上方向に移動する。すると、内側フランジ７の平坦部７０と外側フランジ８の縁部８４の間隔が広がるので、揮散防止カバー９の蓋部９４の抑えが解除される。これにより、揮散防止カバー９を揮散器１０から容易に取り外すことができる。
【００５４】
＜変形例＞
以上本発明の実施形態を示したが、本発明はこれらの実施の形態に限定されるものではなく、その要旨を逸脱しない範囲内において様々な態様での実施が可能である。
【００５５】
例えば、上記では吸液芯を介して液状薬剤を揮散体に吸い上げる構成を示したが、揮散体に液状薬剤が吸収される限りこれに限定されるものではない。例えば、図７の揮散器１００に示すように、揮散体５Ｂの一部を容器内に設けて液状薬剤と直接接触させるようにしてもよい。この場合、揮散体５Ｂが吸液芯としても機能し液状薬剤を直接吸い上げて揮散させることができる。吸液芯が不要となるので、部品点数を削減することができ、組立も容易になる。図７に示すように、本変形例では、揮散体揮散体５Ｂが容器２の底部２４まで伸びているので、揮散体５Ｂは、容器２の首部２２に内嵌された内キャップ（図示せず）と容器２の底部２４とで位置決め固定することができる。
【００５６】
また例えば、キャップの頂部、底部及びフィンの形状等は揮散体への開口が必要なだけ確保される限り、適宜変更可能である。例えば、上記実施形態においては、キャップの頂部は円錐形状としたが、これを円環形状として、上部から空気を取り込むようにしてもよい。また例えば、キャップのフィンの形状、配置、枚数も適宜設定可能である。例えば、図８に示すように、キャップ６Ｂのフィン６４Ｂを等間隔に７枚設け、各フィン６４Ｂの側壁部６４０Ｂを軸方向に対して捻じれたねじれ面で構成してもよい。このようにフィンを構成することで、キャップ６Ｂの内部に向かう気流を軸方向に旋回させ、取り込んだ気流にさらなる乱れを生じさせることができる。当該変形例以外にも、例えば、フィンの側壁部を波状（山と谷を有する曲面）又は複数の段からなる階段状等にしてもよい。
【００５７】
また例えば、揮散体の形状も適宜変更可能である。例えば、揮散体のフィンの側壁部の形状を、軸方向に対してねじれる又は波打つ形状などにしてもよいし、また、液状薬剤の蒸発に十分な表面積が確保される限り、揮散体にフィン自体を設けず、例えば円筒状にしてもよい。
【符号の説明】
【００５８】
１、１０、１００……揮散器、２……容器、２０……首部、２２……胴部、２２０……谷部、２２４……山部、２４……底部、３……吸液芯、４……フランジ、４０……取付部、４２……円環部、４２０……第１の載置部、４２２……第２の載置部、４２４、４２６、４２８……側壁、４４……開口、５、５Ａ、５Ｂ……揮散体、５０……本体、５２……凸部、５２０側壁部、５２２……端部、５４……貫通孔、６／６Ａ／６Ｂ……キャップ、６０／６０Ｂ……頂部、６０Ａ……装着部、６２／６２Ｂ……底部、６４／６４Ｂ……フィン、６４０／６４０Ｂ……側壁部、６４２／６４２Ｂ……端部、６６……開口、７……内側フランジ、７０……平坦部、７２……嵌合部、７４……漏斗部、７６……管、８……外側フランジ、８０溝部、８２……装着部、８４……縁部、９……揮散防止カバー、９０……周壁、９２……上面壁、９４……蓋部
【図１】
0006486645.tif 000002
【図２】
0006486645.tif 000003
【図３】
0006486645.tif 000004
【図４】
0006486645.tif 000005
【図５】
0006486645.tif 000006
【図６】
0006486645.tif 000007
【図７】
0006486645.tif 000008
【図８】
0006486645.tif 000009